(57)【要約】【課題】複数の記録装置で情報を記録された記録媒体を再生するディスク再生装置において、装置の簡略化を図りつつエラーレートの改善を行なう。【解決手段】ディスクドライブ装置において、ディスクが収容されると、まず、Ｓ１で、レーザピックアップがディスクの内周側に移動され、Ｓ２で、各種サーボの自動調整が行なわれ、Ｓ３で、ディスクのＴＯＣ（Ｔａｂｌｅ　Ｏｆ　Ｃｏｄｉｎｇ）情報が読取られ、Ｓ４で、ＤＢＡＬ調整が行なわれる。ＤＢＡＬ調整とは、データのスライス値のバランスの調整である。そして、ディスクがマルチセッションで情報を記録されているか否かが判断され（Ｓ５）、マルチセッションで記録されていれば、Ｓ６で、ＤＢＡＬ調整の対象となるセッションが１つ移動され、Ｓ７で、ＤＢＡＬ調整を行なわれる。つまり、ディスクがマルチセッションであれば、セッションごとに、ＤＢＡＬ調整が行なわれる。【選択図】　　　　図２
2004095125.tif 000002
【特許請求の範囲】
【請求項１】
マルチセッションで情報を記録されたディスクの再生が可能であるディスク再生装置であって、
情報ディスク再生信号を入力する高域強調フィルタと、
前記高域強調フィルタに接続され、前記ディスク再生信号を２値化する２値化手段と、
前記２値化手段に接続され、２値化されたディスク再生信号のエラーを検出するエラー検出手段と、
前記エラー検出手段および前記２値化手段に接続され、前記２値化手段における２値化しきい値を調整するしきい値調整手段と、
再生しようとするディスクがマルチセッションで情報を記録されているか否かを判断する判断手段と、
前記エラー検出手段におけるエラー検出量を少なくするように、前記しきい値調整手段のしきい値を制御する制御手段とを含み、
前記２値化手段、前記エラー検出手段、前記しきい値調整手段、および、前記制御手段は、前記判断手段が、再生しようとするディスクがマルチセッションで情報を記録されていると判断した場合に、当該再生しようとするディスクのセッションごとに動作を実行する、ディスク再生装置。
【請求項２】
マルチセッションで情報を記録されたディスクの再生が可能であるディスク再生装置であって、
情報ディスク再生信号を入力する高域強調フィルタと、
前記高域強調フィルタに接続され、前記ディスク再生信号を２値化する２値化手段と、
前記２値化手段に接続され、２値化されたディスク再生信号のエラーを検出するエラー検出手段と、
前記エラー検出手段および前記２値化手段に接続され、前記２値化手段における２値化しきい値を調整するしきい値調整手段と、
前記エラー検出手段におけるエラー検出量を少なくするように、前記しきい値調整手段のしきい値を制御する制御手段とを含み、
前記２値化手段、前記エラー検出手段、前記しきい値調整手段、および、前記制御手段は、再生しようとするディスクのセッションごとに動作を実行する、ディスク再生装置。
【請求項３】
再生しようとするディスクがマルチセッションで情報を記録されているか否かを判断する判断手段をさらに含み、
前記２値化手段、前記エラー検出手段、前記しきい値調整手段、および、前記制御手段は、前記判断手段が、再生しようとするディスクがマルチセッションで情報を記録されていると判断した場合に、当該再生しようとするディスクのセッションごとに動作を実行する、請求項２に記載のディスク再生装置。
【発明の詳細な説明】
【０００１】
【発明の属する技術分野】
本発明は、光ディスクなどのディスクに記録される信号を再生するディスク再生装置に関し、特に、複数の書込み装置を使用されて書込みが行なわれた１枚のディスクに記録される信号の再生に適したディスク再生装置に関する。
【０００２】
【従来の技術】
従来から、マルチセッションで記録可能なディスクに対して、セッションごとに複数の記録装置を用いて状態が記録される技術があった。
【０００３】
複数の記録装置が用いられて情報の記録がなされたディスクの再生に関する技術としては、特許文献１に開示されたような、サーボ回路の特性を異なる記録方法それぞれで記憶された領域ごとに自己調整する技術や、特許文献２に開示されたような、同一の記録媒体上において複数の再生仕様でデータが記録された場合にそれぞれの再生仕様でデータを再生するための再生情報を記録させる技術があった。
【０００４】
なお、上記した従来技術では、ディスクのエラー訂正については考慮されていない、または、十分であるとは言えなかった。エラー訂正については、従来、たとえば、特許文献３に、再生信号にアシンメトリがあるときとないときとで等化する際に用いる等化係数を変更することにより、エラー訂正を行なう技術が開示されている。
【０００５】
特許文献３では、ＰＲＭＬ方式（パーシャルレスポンス方式とビダビ復号方式を用いた最尤復号方式を組合せたデジタルデータの再生方式）でデータの再生を行なう技術がが開示されている。具体的には、図９に示すように、光ディスクにレーザ光が照射されることにより、光ディスク媒体に記録されたデジタルデータがアナログ信号として読取られ、当該再生信号がプリアンプ回路１０４で増幅される。そして、増幅されたアナログ信号は、低周波通過フィルタ（ＬＰＦ）および波形整形を行なうイコライザ（ＥＱ）の機能を備えた波形整形回路１０５で整形された後、アナログ／デジタル（Ａ／Ｄ）変換回路１０６でデジタル信号に変換される。デジタル化された再生信号は、さらに等化器１１１で予め設定されたパーシャルレスポンス特性（ＰＲ特性）の波形に等化される。このようにして、ＰＲ等化処理され出力信号が得られ、それが、最尤復号回路１２０によりビダビ復号され、光ディスク媒体に記録されているデジタルデータが再生される。
【０００６】
【特許文献１】
特開平９‐３０６００５号公報
【特許文献２】
特開２００１‐３４４９１１公報
【特許文献３】
特開２０００‐２７６８４８公報
【０００７】
【発明が解決しようとする課題】
しかしながら、図９に示したような再生方式では、光ディスク媒体に記録されたアナログ信号として読取られてデジタルデータに変換された後、等化器１１１および最尤復号回路１２０によりで処理される必要があった。なお、ディスク再生装置においては、常に、装置を簡略化が望まれている。
【０００８】
本発明は、かかる実情に鑑み考え出されたものであり、その目的は、複数の記録装置で情報を記録された記録媒体を再生するディスク再生装置において、装置の簡略化を図りつつエラーレートの改善を行なうことである。
【０００９】
【課題を解決するための手段】
本発明のある局面に従ったディスク再生装置は、マルチセッションで情報を記録されたディスクの再生が可能であるディスク再生装置であって、情報ディスク再生信号を入力する高域強調フィルタと、前記高域強調フィルタに接続され、前記ディスク再生信号を２値化する２値化手段と、前記２値化手段に接続され、２値化されたディスク再生信号のエラーを検出するエラー検出手段と、前記エラー検出手段および前記２値化手段に接続され、前記２値化手段における２値化しきい値を調整するしきい値調整手段と、再生しようとするディスクがマルチセッションで情報を記録されているか否かを判断する判断手段と、前記エラー検出手段におけるエラー検出量を少なくするように、前記しきい値調整手段のしきい値を制御する制御手段とを含み、前記２値化手段、前記エラー検出手段、前記しきい値調整手段、および、前記制御手段は、前記判断手段が、再生しようとするディスクがマルチセッションで情報を記録されていると判断した場合に、当該再生しようとするディスクのセッションごとに動作を実行することを特徴とする。
【００１０】
本発明の他の局面に従ったディスク再生装置は、マルチセッションで情報を記録されたディスクの再生が可能であるディスク再生装置であって、情報ディスク再生信号を入力する高域強調フィルタと、前記高域強調フィルタに接続され、前記ディスク再生信号を２値化する２値化手段と、前記２値化手段に接続され、２値化されたディスク再生信号のエラーを検出するエラー検出手段と、前記エラー検出手段および前記２値化手段に接続され、前記２値化手段における２値化しきい値を調整するしきい値調整手段と、前記エラー検出手段におけるエラー検出量を少なくするように、前記しきい値調整手段のしきい値を制御する制御手段とを含み、前記２値化手段、前記エラー検出手段、前記しきい値調整手段、および、前記制御手段は、再生しようとするディスクのセッションごとに動作を実行することを特徴とする。
【００１１】
本発明に従うと、ディスクのセッションごとに、高域強調フィルタおよび２値化手段を通って２値化され、エラー検出を行なった後の出力信号を用いてエラーレートが少なくなるように２値化手段におけるしきい値であるスライスレベルを調整する。これにより、再生されるディスクのセッション毎にエラーが少なくなるようにスライスレベルを調整するため、再生されるディスクが複数の書込み装置において情報を書込まれた場合等マルチセッションのディスクであっても、エラーレートの改善が可能になり、最適の状態で記録データの再生ができるディスク再生装置を提供できる。また、本発明のディスク再生装置では、ＰＲ等化処理および最尤復号処理の必要がない。これにより、装置の簡略化を図ることができる。
【００１２】
また、本発明に従ったディスク再生装置は、再生しようとするディスクがマルチセッションで情報を記録されているか否かを判断する判断手段をさらに含み、そして、前記２値化手段、前記エラー検出手段、前記しきい値調整手段、および、前記制御手段は、前記判断手段は、再生しようとするディスクがマルチセッションで情報を記録されていると判断した場合に、当該再生しようとするディスクのセッションごとに動作を実行することが好ましい。
【００１３】
【発明の実施の形態】
以下、本発明のディスク再生装置の一実施の形態であるディスクドライブ装置について説明する。図１は、ディスクドライブ装置の制御ブロック図である。
【００１４】
ディスクドライブ装置１には、ＣＰＵ（ｃｅｎｔｒａｌ　ｐｒｏｃｅｓｓｉｎｇ　ｕｎｉｔ）２０、ピックアップ駆動回路３２、信号読取処理部１０、モータ３５、レーザピックアップ３６、デコード回路３８、バッファメモリ３９、インターフェイス制御回路４０、ＲＡＭ（ｒａｎｄｏｍ　ａｃｃｅｓｓ　ｍｅｍｏｒｙ）４１、および、フラッシュメモリ４２が備えられている。ディスクドライブ装置１は、インターフェイス制御回路４０を介して、外部の他の装置と通信が可能である。
【００１５】
ディスクドライブ装置１にディスク３７が収容されると、ＣＰＵ２０が、回転制御回路３４に指示してモータ３５を回転制御させることにより、スピンアップ動作がスタートする。そして、ＣＰＵ２０は、ピックアップ駆動回路３２に指示することによりレーザピックアップ３６を駆動して、ディスク３７のデータを読出す。ディスク３７から読出されたデータは、信号読取処理部１０に入力されて電気信号に変換され、信号読取処理部１０からバッファメモリ３９に格納される。ＲＡＭ４１はその一部にディスク情報記憶部を持ち、ＣＰＵ２０は、バッファメモリ３９に入ったディスクデータのうちＴＯＣ（ｔａｂｌｅ　ｏｆ　ｃｏｎｔｅｎｔｓ）等の管理情報をバッファメモリ３９から読出して前記ＲＡＭ４１内のディスク情報記憶部に保存する。レーザピックアップ３６による、レーザの照射、および、照射されたレーザ光の反射光からの情報の読出しは、信号読取処理部１０によって制御される。
【００１６】
ここで、ディスクドライブ装置１において、ディスク３７が収容された際に実行され、ディスク３７のデータを読出す処理である、データ読出処理の内容を、図２を参照して説明する。図２は、ＣＰＵ２０の実行するデータ読出処理のフローチャートである。
【００１７】
ディスク３７のデータの読出しが行なわれる際、ＣＰＵ２０は、まず、ステップＳ１（以下、ステップを省略する）で、ピックアップ駆動回路３２を適宜制御することにより、レーザピックアップ３６をディスク３７の内周側に移動させる。
【００１８】
次に、ＣＰＵ２０は、Ｓ２で、ピックアップ駆動回路３２および信号読取部を適宜制御することにより、各種サーボの自動調整を行なう。
【００１９】
次に、ＣＰＵ２０は、Ｓ３で、ディスク３７のＴＯＣ情報を読取り、Ｓ４で、ＤＢＡＬ調整を行なう。ＤＢＡＬ調整とは、データ（Ｄａｔａ）のスライス値のバランス（Ｂａｌａｎｃｅ）の調整を表わす。なお、ＤＢＡＬ調整の詳細については、図３および図４等を参照して後述する。
【００２０】
次に、ＣＰＵ２０は、Ｓ５で、Ｓ３で読取ったＴＯＣ情報を参照して、現在ディスクドライブ装置１に収容され情報の読取の対象となっているディスク３７がマルチセッションで情報を記録されているか否かを判断する。そして、マルチセッションで記録されていると判断すると、処理をＳ６に移行させ、マルチセッションでは記録されていないと判断すると、処理を終了させる。
【００２１】
Ｓ６で、ＣＰＵ２０は、ＤＢＡＬ調整の対象となるセッションを前回ＤＢＡＬ調整を行なったときから１つ移動させる。
【００２２】
そして、ＣＰＵ２０は、Ｓ７で、Ｓ４と同様に、ＤＢＡＬ調整を行なった後、Ｓ８で、直前のＳ７で行なったＤＢＡＬ調整は、ディスク３７の最後のセッションに対して行なったものであるか否かを判断する。そして、最後のセッションに対して行なった場合には、そのまま処理を終了する。なお、まだＤＢＡＬ調整を行なっていないセッションがある場合には、Ｓ６に処理を戻す。
【００２３】
次に、Ｓ４またはＳ７で実行されるＤＢＡＬ調整において実行される処理を説明する。なお、ＤＢＡＬ調整は、ＣＰＵ２０が信号読取処理部１０に実行させるものである。そこで、まず、信号読取処理部１０の詳細な構成を説明する。
【００２４】
図３は、信号読取処理部１０の要部を示すブロック図である。図３を参照して、信号読取処理部１０は、レーザピックアップ３６から送られる再生信号であるＲＦ信号を増幅するプリアンプ１１と、プリアンプ１１に接続され、出力低下を吸収してゲインを一定に保つＡＧＣ（Ａｕｔｏ　Ｇａｉｎ　Ｃｏｎｔｒｏｌ）およびＲＦ信号の高周波ノイズを除去し、符号間干渉で極度に振幅の低下したＲＦ信号の高域成分付近をブーストする高域強調フィルタ（以下「イコライザ」という）１２と、イコライザ１２に接続され、ブーストされたＲＦ信号を所定のしきい値で２値化するスライサ１３と、クロック信号を生成するＰＬＬ（Ｐｈａｓｅ−Ｌｏｃｋｅｄ　Ｌｏｏｐ）回路１４と、スライサ１３に接続され、２値化されたデータを復調するデータ復調回路１５と、データ復調回路１５で復調された２値化信号のエラーを検出するエラーレート検出回路１６と、エラーレート検出回路１６およびイコライザ１２に接続され、エラーレート検出回路１６におけるエラーレートが少なくなるようにイコライザ１２におけるブースト量を調整するブースト調整回路１７と、エラーレート検出回路１６およびスライサ１３に接続され、エラーレート検出回路１６におけるエラーレートが少なくなるようにスライサ１３による２値化時のしきい値を調整するスライスバランス調整回路１８と、エラーレート検出回路１６、ブースト調整回路１７およびスライスバランス調整回路１８を制御する制御部（Ｃｅｎｔｒａｌ　Ｐｒｏｃｅｓｓｉｎｇ　Ｕｎｉｔ）２０とを含む。エラーレート検出回路１６においてエラー検出された再生信号は図示の無い出力回路に送られる。
【００２５】
次に、信号読取処理部１０の実行するＤＢＡＬ調整について説明する。図４は、ＤＢＡＬ調整の際に信号読取処理部１０を制御するＣＰＵ２０の動作を説明するフローチャートである。
【００２６】
図４を参照して、まず、ディスク３７のＴＯＣ情報を参照することにより、再生されているディスク３７がＤＶＤ（Ｄｉｇｉｔａｌ　Ｖｅｒｓａｔｉｌｅ　Ｄｉｓｃ）かＣＤ（Ｃｏｍｐａｃｔ　Ｄｉｓｃ）かが判別される（Ｓ１１）。ＤＶＤであると判定されると（Ｓ１１でＤＶＤ）、エラーレート検出回路１６においてエラーレートを取得するために、アドレスＬ０：０ｘ０４８０００ｈｅｘへヘッドが移動される（Ｓ１２）。
【００２７】
本願発明においては、後に説明するようにスライサのバランスを調整することでエラーレートの改善を図っている。したがって、それ以外の要因、たとえば光ディスク上の傷などでエラーレートが信頼できない値、つまり、同じアドレスのエラーレートが傷で一定しない場合、最適調整ができなくなる。これを排除するため、所定の位置でデータを取得している。
【００２８】
図５を参照して、所定の位置でデータを取得する理由について説明する。図５はディスク上のＥＣＣ（Ｅｒｒｏｒ　Ｃｏｌｌｅｃｔｉｏｎ　Ｃｏｄｅ）の概念を説明するための図である。ディスクはＣＬＶ（Ｃｏｎｓｔａｎｔ　Ｌｉｎｅａｒ　Ｖｅｌｏｃｉｔｙ）であるため、内周の方では１周あたりの長さが長くなる。また、外周へ行くとピックアップの移動に時間がかかるためディスク再生装置としてはできるだけディスクの内周で読むのが好ましい。
【００２９】
一方、エラーレートの取得は、ＥＣＣ単位で行なわれる。図５を参照して、アドレス０ｘ０４８０００は、１ＥＣＣが約半周となり、４ＥＣＣでちょうど２周となる位置である。すなわち、そのアドレスより内周だと最悪傷の影響が３ＥＣＣとなってしまうし、そのアドレスより外周だとシークするのに時間がかかってしまう。そのため、ここでは０ｘ０４８０００ｈｅｘをシークしている。
【００３０】
なお、４ＥＣＣを必ずしも読む必要はない。多ければ多いほど比較するための正確なエラーレートが取得できる。しかし、読込を多くすればそれだけ時間がかかってしまう。また、少な過ぎると比較するためのデータに精度がなくなってしまう。
【００３１】
また、Ｓ１２のアドレスにおけるＬ０とはＬａｙｅｒ　１のことで、ディスクの層を表す。２層ディスクであれば、後に示すようにＬ１の層をシークする。
【００３２】
図４に戻って、次いでエラーレート検出回路１６においてＤＶＤのエラーレートが取得される（Ｓ１３）。エラーレートの取得は、上記した４ＥＣＣの範囲内で、最良値と２番目によい値をデータとして取出す。ここでＤＶＤにおけるエラー数は、たとえば、ＰＩ訂正数とＰ０訂正数との和で判断する。
【００３３】
次に、エラーレートが所定の値、例えば０ｘ１０より大きいか否かが判断される（Ｓ１４）。エラーレートが所定のしきい値より大きいと判断されたときは（Ｓ１４でＹＥＳ）、スライサ１３のバランス（２値化しきい値）を調整することでエラーレートの改善を図っている（Ｓ１５）。ついで、イコライザ１２のブースト調整が行なわれる（Ｓ１６）。イコライザ１２のブースト調整はＲＦ信号の３Ｔ信号の近辺の信号を用いる。これは、この近辺の信号の出現頻度が高いためである。
【００３４】
以上のように、この実施の形態においては再生信号のデータのエラーレートを見てスライスレベルを調整している。したがって、エラーレートが小さければスライスレベルの調整のみを行なっても良い。なお、このエラーレートのしきい値は０ｘ１０に限らず、任意の値に設定してもよい。
【００３５】
図４に戻って、Ｓ１４でエラーレートが第１のしきい値０ｘ１０以下のときは（Ｓ１４でＮＯ）、光ディスクの２層目についてエラーレートの検出を行なうため、Ｓ１７へ移行する。
【００３６】
次に、Ｓ１５で示したスライスレベルの決定方法について説明する。
図６はＲＦ信号の３Ｔ〜１４Ｔの信号例を示す図である。通常ＲＦ信号の３Ｔ〜１４ＴはＤＣ成分が同じになる、つまり対称であることが理想的である（図６（Ａ））。しかしながら、現実にはそうはならない（図６（Ｂ））。図６を参照して、スライサ１３は３Ｔ、４Ｔ、５Ｔ、６Ｔ、７Ｔ、８Ｔ，９Ｔ、１０Ｔ、１１Ｔ、１４ＴまであるＲＦ信号の直流成分にある程度追従するように設計されている。スライスバランス調整回路１８によるスライスレベルの調整においては、ＲＦ信号のアシンメトリに合わせるように、エラーレートを見ながらスライスレベルの調整が行なわれる。ＣＰＵ２０は具体的には次のような処理を行なう。
【００３７】
ＲＦ信号にアシンメトリが無い場合、３Ｔから１４Ｔの直流成分は同じであり、スライスレベルはこれに等しいため、各Ｔは正常に２値化され、エラーレートは良い。ＲＦ信号にアシンメトリがある場合、出現頻度の高い３Ｔ，４Ｔ、５Ｔの直流成分に近いスライスレベルとなる（図６（Ｂ）のａ）。
【００３８】
上記のスライスレベルであると出現頻度の低い１１Ｔ、特に１４Ｔは正しく検出できなくなる。１４Ｔはデータの同期を取るための、Ｓｙｎｃ（あたま）部分であるため、これが検出できなくなると、エラーレートは極端に悪化する。そこで、ここでは、図６（Ｂ）のｂに示すようにスライスレベルにオフセットＤを付加することでスライスレベルを変える。このようにスライスレベルを変えることによって３Ｔ、４Ｔの検出精度は図６（Ｂ）のａよりは落ちるが、１４Ｔの検出を確実に行うことで、結果的にそのディスクに応じたエラーレートの改善が図られる。
【００３９】
再度図４に戻って、次にＤＶＤディスクの種類が１層か、２層ＰＬ（ｐａｒａｌｌｅｌＬａｙｅｒ）か、２層ＯＰ（Ｏｐｐｏｓｉｔｅ　Ｌａｙｅｒ）かが判断される（Ｓ１７）。光ディスクが１層であるときは（Ｓ１７で１層）、そのまま処理を終了する。２層ＰＬのときは（Ｓ１７で２層ＰＬ）２層ＰＬにおけるＳ１２に対応する位置である、所定の値Ｌ１：０ｘ０４８０００ｈｅｘへ再生ヘッドが移動され（Ｓ１８）、光ディスクが２層ＯＰであると判断されたときは（Ｓ１７で２層ＯＰ）、２層ＯＰにおけるＳ１２に対応する位置である、Ｌ１：０ｘ０ＦＢ８００ｈｅｘへ再生ヘッドが移動される（Ｓ２０）。そこでＤＶＤ２層目のエラーレートが取得される（Ｓ１９）。
【００４０】
次いで２層目においてエラーレートが所定のしきい値０ｘ０Ｅより大きいか否かが判断される（Ｓ２１）。エラーレートが所定のしきい値０ｘ０Ｅより大きいと判断されたときは、２層目についてスライサ１３に対するバラス調整およびイコライザ１２に対するブースト調整がそれぞれ行なわれる（Ｓ２２、Ｓ２３）。なお、この内容は上記したＳ１５およびＳ１６と同じである。
【００４１】
Ｓ２１で２層目のエラーレートがしきい値（０ｘ０Ｅ）以下のときは（Ｓ２１でＮＯ）、そのまま処理を終了する。
【００４２】
Ｓ１１で光ディスクがＣＤであると判断されたときは（Ｓ１１でＣＤ）、ＣＤのデータ最内周である、００ｍｉｎ０２ｓｅｃ００Ｆｌａｍｅへヘッドが移動される（Ｓ２５）。これは、現状では２０４８フレーム単位でしかＣＤにおけるエラー数の取得ができないためである。しかしながら、ＣＤの場合もこれに限定することなく、任意の位置でエラーの取得を行なっても良い。
【００４３】
次いで、ＣＤのエラーレートが取得される（Ｓ２６）。ＣＤにおけるエラーレートは、Ｃ１訂正フレーム数およびＣ２訂正付加フレーム数の換算の和とする。
【００４４】
取得されたエラーレートが所定のしきい値（０ｘ１４）より大きいか否かが判断される（Ｓ２７）。エラーレートが所定のしきい値より大きいと判断されたときは（Ｓ２７でＹＥＳ）、ＤＶＤと同様にスライサ１３のバランス調整およびイコライザ１２のブースト調整が行なわれる（Ｓ２８、Ｓ２９）。なお、ここで、所定のしきい値もこの値に限らず、任意の値を使用してもよい。またバランス調整およびブースト調整の方法もＳ１５およびＳ１６と同様である。
【００４５】
Ｓ２７でエラーレートが所定の値（０ｘ１４）以下のときは（Ｓ２７でＮＯ）、そのまま処理を終了する。
【００４６】
具体的なディスク毎の例として、ＤＶＤ−Ｒにおけるエラー数（エラーレート）とＤＢＡＬ値との関係を図７に、ＤＶＤ−ＲＷにおけるエラー数とＤＢＡＬ値との関係を図８に示す。図７および図８を参照して、記録されたディスク毎にＲＦの品質や対称性が異なることがわかる。このため、スライサ１３のバランス値は個々のディスク毎に異ならせる必要があることがわかる。
【００４７】
なお、この発明におけるエラーレートは上記したように、ＤＶＤにおいてはＰＩ訂正数とＰ０訂正数との和で判断し、ＣＤにおいてはＣ１訂正フレーム数およびＣ２訂正付加フレーム数の換算の和としているが、これに限るものではなく、各々においていずれか一方でも良いし、これ以外の値を用いても良い。
【００４８】
以上説明した本実施の形態では、マルチセッションのディスクに対しては、データのスライス値のバランスが、セッションごとに調整される。これにより、１枚のディスクに、複数の書込み装置を使用されて情報の書込みが行なわれた場合でも、エラーレートを改善することができる。
【００４９】
また、ＤＶＤ２層およびＣＤにおいて、スライスレベルの調整とブースト調整を連続して行なうように説明したが、この場合も、ＤＶＤ１層の場合と同様にエラーレートが低いときはスライスレベルまたはブースト調整の一方のみを行なっても良い。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本発明のディスク再生装置の一実施の形態であるディスクドライブ装置の制御ブロック図である。
【図２】図１のＣＰＵが実行するデータ読出処理のフローチャートである。
【図３】図１の信号読取処理部の構成を示すブロック図である。
【図４】図３の信号読取処理部を制御するＣＰＵの制御手順を示すフローチャートである。
【図５】ディスク上のＥＣＣの概念を説明するための図である。
【図６】ＲＦ信号のアイパターンの中心のずれを説明するための図である。
【図７】各種ディスクにおけるエラー数とＤＢＡＬ値を示す図である。
【図８】各種ディスクにおけるエラー数とＤＢＡＬ値を示す図である。
【図９】従来のディスク再生装置における再生方式を説明するための図である。
【符号の説明】
１　ディスクドライブ装置、１０　信号読取処理部、１１　プリアンプ、１２ＡＧＣおよびイコライザ、１３　スライサ、１４　ＰＬＬ回路、１５　データ復調回路、１６　エラーレート検出回路、１７　ブースト調整部、１８　スライスバランス調整部、２０　ＣＰＵ、３２　ピックアップ駆動回路、３４　回転制御回路、３５　モータ、３６　レーザピックアップ、３７　ディスク。
【図１】
2004095125.tif 000003
【図２】
2004095125.tif 000004
【図３】
2004095125.tif 000005
【図４】
2004095125.tif 000006
【図５】
2004095125.tif 000007
【図６】
2004095125.tif 000008
【図７】
2004095125.tif 000009
【図８】
2004095125.tif 000010
【図９】
2004095125.tif 000011